【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
ワイヤレス通信のための装置において、
第１の帯域を介して、第２の装置との第１のリンクを確立するようにと、
トンネリングプロトコルを使用して、第２の帯域を介して、前記第２の装置との第２のリンクを確立するようにと、
前記第１のリンクまたは前記第２のリンクのうちの少なくとも１つを介して、前記第２の装置からデータを受信するようにと、
前記第１のリンクまたは前記第２のリンクのうちの少なくとも１つを介して、前記第２の装置にデータを提供するように構成されている処理システムを具備し、
前記第１のリンクは、第１の媒体アクセス制御（ＭＡＣ）アドレスに関係付けられ、
前記トンネリングプロトコルは、前記第１のリンクを使用して、前記第２のリンクを確立し、前記第２のリンクは、第２のＭＡＣアドレスに関係付けられ、
前記第１のリンクを介して受信されるデータ、または、前記第１のリンクを介して提供されるデータは、前記第１のＭＡＣアドレスを含み、
前記第２のリンクを介して受信されるデータ、または、前記第２のリンクを介して提供されるデータは、前記第２のＭＡＣアドレスを含む装置。
【請求項２】
前記第２のリンクに関係付けられている前記第２のＭＡＣアドレスは、前記第１のリンクを介して、前記第２の装置に提供されるか、または、前記第２の装置から受信される請求項１記載の装置。
【請求項３】
前記装置は、ゲートウェイに接続されるように構成されており、
前記処理システムは、前記第２のリンクに関係付けられている前記第２のＭＡＣアドレスを前記ゲートウェイのＭＡＣアドレスに設定することによって、受信するように、または、提供するように構成されており、
前記第２のリンクを介して、前記第２の装置から受信されるデータ、または、前記第２の装置に提供されるデータは、前記ゲートウェイの前記ＭＡＣアドレスを含む請求項１記載の装置。
【請求項４】
前記処理システムは、
前記第１のリンクを前記第２のリンクにバインディングして、前記第１の帯域と前記第２の帯域とを介して、前記第２の装置から前記データを受信するように、または、前記第２の装置に前記データを提供するようにさらに構成されている請求項１記載の装置。
【請求項５】
前記処理システムは、暗号化されたトークンを作成することによって、前記第１のリンクを確立するように構成されており、
前記処理システムは、前記暗号化されたトークンの知識を確認するメッセージを、前記第２の装置から、前記第２の帯域を介して受信することによって、バインディングするように構成されている請求項４記載の装置。
【請求項６】
少なくとも１つのアンテナをさらに具備し、前記少なくとも１つのアンテナを介して、前記第１のリンクと前記第２のリンクとが確立され、前記装置はワイヤレスノードとして構成されている請求項１記載の装置。
【請求項７】
装置におけるワイヤレス通信の方法において、
第１の帯域を介して、第２の装置との第１のリンクを確立することと、
トンネリングプロトコルを使用して、第２の帯域を介して、前記第２の装置との第２のリンクを確立することと、
前記第１のリンクまたは前記第２のリンクのうちの少なくとも１つを介して、前記第２の装置からデータを受信することと、
前記第１のリンクまたは前記第２のリンクのうちの少なくとも１つを介して、前記第２の装置にデータを提供することとを含み、
前記第１のリンクは、第１の媒体アクセス制御（ＭＡＣ）アドレスに関係付けられ、
前記トンネリングプロトコルは、前記第１のリンクを使用して、前記第２のリンクを確立し、前記第２のリンクは、第２のＭＡＣアドレスに関係付けられ、
前記第１のリンクを介して受信されるデータ、または、前記第１のリンクを介して提供されるデータは、前記第１のＭＡＣアドレスを含み、
前記第２のリンクを介して受信されるデータ、または、前記第２のリンクを介して提供されるデータは、前記第２のＭＡＣアドレスを含む方法。
【請求項８】
前記第１のリンクを確立することは、前記第１のリンクに対する第１の暗号化キーを確立することを含み、
前記第２のリンクを確立することは、前記第２のリンクに対する第２の暗号化キーを確立することを含む請求項７記載の方法。
【請求項９】
前記第２のリンクに関係付けられている前記第２のＭＡＣアドレスは、前記第１のリンクを介して、前記第２の装置に提供されるか、または、前記第２の装置から受信される請求項７記載の方法。
【請求項１０】
前記装置は、ゲートウェイに接続されるように構成されており、
前記受信すること、または、前記提供することは、
前記第２のリンクに関係付けられている前記第２のＭＡＣアドレスを前記ゲートウェイのＭＡＣアドレスに設定することを含み、
前記第２のリンクを介して、前記第２の装置から受信されるデータ、または、前記第２の装置に提供されるデータは、前記ゲートウェイの前記ＭＡＣアドレスを含む請求項７記載の方法。
【請求項１１】
前記第１のリンクを前記第２のリンクにバインディングして、前記第１の帯域と前記第２の帯域とを介して、前記第２の装置から前記データを受信することを、または、前記第２の装置に前記データを提供することをさらに含む請求項７記載の方法。
【請求項１２】
前記データの少なくとも第１の部分は、前記第１の帯域を介して受信されるか、または、前記第１の帯域を介して提供され、前記データの少なくとも第２の部分は、前記第２の帯域を介して受信されるか、または、前記第２の帯域を介して提供される請求項１１記載の方法。
【請求項１３】
前記第１のリンクを確立することは、暗号化されたトークンを作成することを含み、
前記バインディングすることは、前記暗号化されたトークンの知識を確認するメッセージを、第２の装置から、前記第２の帯域を介して受信することを含む請求項１１記載の方法。
【請求項１４】
前記バインディングすることは、前記第１の帯域と前記第２の帯域とを介して、前記データを受信すること、または、前記データを提供することのために、同一のＭＡＣアドレスを利用することを含む請求項１１記載の方法。
【請求項１５】
請求項７ないし請求項１４のうちの１項記載の方法のすべてのステップを実現するようにコンピュータ実行可能であるプログラム命令を具備するコンピュータプログラム。
【手続補正２】
【補正対象書類名】明細書
【補正対象項目名】００８１
【補正方法】変更
【補正の内容】
【００８１】
［００９０］
先の説明は、ここで説明したさまざまな態様を当業者が実施することができるように提供している。これらの態様に対するさまざま改良が当業者に容易に明らかとなり、ここで規定した一般的な原理を他の態様に適用してもよい。したがって、特許請求の範囲は、ここで示した態様に限定されることを意図しているのではなく、言語的な特許請求の範囲と一貫した全範囲を与えられるべきである。単数形のエレメントに対する参照は、特にそのように述べていない限り「１つ、および、１つのみ」を意味するのではなく、むしろ、「１つ以上」を意味するように意図している。特に別の方法で述べていない限り、用語「いくつか」は１つ以上を指す。当業者に知られているまたは後に知られるようになる、本開示全体を通して説明したさまざまな態様のエレメントに対するすべての構造上および機能上の均等物は、参照によってここに明示的に組み込まれ、特許請求の範囲によって含まれるように意図している。さらに、ここで開示するものは、そのような開示が特許請求の範囲において明示的に規定されているか否かにかかわらず、公開専用であることを意図するものではない。フレーズ「ための手段」を使用してエレメントを明白に規定していない限り、または、方法の請求項のケースにおいて、フレーズ「ためのステップ」を使用してエレメントを規定していない限り、請求項のどのエレメントも、３５Ｕ．Ｓ．Ｃ．§１１２（ｆ）の提供のもとで解釈されるべきでない。
以下に、本願出願の当初の特許請求の範囲に記載された発明を付記する。
［１］ワイヤレス通信のための装置において、
第１の帯域を介して、第２の装置との第１のリンクを確立するようにと、
トンネリングプロトコルを使用して、第２の帯域を介して、前記第２の装置との第２のリンクを確立するようにと、
前記第１のリンクまたは前記第２のリンクのうちの少なくとも１つを介して、前記第２の装置からデータを受信するようにと、
前記第１のリンクまたは前記第２のリンクのうちの少なくとも１つを介して、前記第２の装置にデータを提供するように構成されている処理システムを具備し、
前記第１のリンクは、第１の媒体アクセス制御（ＭＡＣ）アドレスに関係付けられ、
前記トンネリングプロトコルは、前記第１のリンクを使用して、前記第２のリンクを確立し、前記第２のリンクは、第２のＭＡＣアドレスに関係付けられ、
前記第１のリンクを介して受信されるデータ、または、前記第１のリンクを介して提供されるデータは、前記第１のＭＡＣアドレスを含み、
前記第２のリンクを介して受信されるデータ、または、前記第２のリンクを介して提供されるデータは、前記第２のＭＡＣアドレスを含む装置。
［２］前記処理システムは、
前記第１のリンクに対する第１の暗号化キーを確立することによって、前記第１のリンクを確立するようにと、
前記第２のリンクに対する第２の暗号化キーを確立することによって、前記第２のリンクを確立するように構成されている［１］記載の装置。
［３］前記第２のリンクに関係付けられている前記第２のＭＡＣアドレスは、前記第１のリンクを介して、前記第２の装置に提供されるか、または、前記第２の装置から受信される［１］記載の装置。
［４］前記装置は、ゲートウェイに接続されるように構成されており、
前記処理システムは、前記第２のリンクに関係付けられている前記第２のＭＡＣアドレスを前記ゲートウェイのＭＡＣアドレスに設定することによって、受信するように、または、提供するように構成されており、
前記第２のリンクを介して、前記第２の装置から受信されるデータ、または、前記第２の装置に提供されるデータは、前記ゲートウェイの前記ＭＡＣアドレスを含む［１］記載の装置。
［５］前記処理システムは、
前記第１のリンクを前記第２のリンクにバインディングして、前記第１の帯域と前記第２の帯域とを介して、前記第２の装置から前記データを受信するように、または、前記第２の装置に前記データを提供するようにさらに構成されている［１］記載の装置。
［６］前記データの少なくとも第１の部分は、前記第１の帯域を介して受信されるか、または、前記第１の帯域を介して提供され、前記データの少なくとも第２の部分は、前記第２の帯域を介して受信されるか、または、前記第２の帯域を介して提供される［５］記載の装置。
［７］前記処理システムは、暗号化されたトークンを作成することによって、前記第１のリンクを確立するように構成されており、
前記処理システムは、前記暗号化されたトークンの知識を確認するメッセージを、前記第２の装置から、前記第２の帯域を介して受信することによって、バインディングするように構成されている［５］記載の装置。
［８］前記処理システムは、前記第１の帯域と前記第２の帯域とを介して、前記データを受信するために、または、前記データを提供するために、同一のＭＡＣアドレスを利用することによって、バインディングするように構成されている［５］記載の装置。
［９］装置におけるワイヤレス通信の方法において、
第１の帯域を介して、第２の装置との第１のリンクを確立することと、
トンネリングプロトコルを使用して、第２の帯域を介して、前記第２の装置との第２のリンクを確立することと、
前記第１のリンクまたは前記第２のリンクのうちの少なくとも１つを介して、前記第２の装置からデータを受信することと、
前記第１のリンクまたは前記第２のリンクのうちの少なくとも１つを介して、前記第２の装置にデータを提供することとを含み、
前記第１のリンクは、第１の媒体アクセス制御（ＭＡＣ）アドレスに関係付けられ、
前記トンネリングプロトコルは、前記第１のリンクを使用して、前記第２のリンクを確立し、前記第２のリンクは、第２のＭＡＣアドレスに関係付けられ、
前記第１のリンクを介して受信されるデータ、または、前記第１のリンクを介して提供されるデータは、前記第１のＭＡＣアドレスを含み、
前記第２のリンクを介して受信されるデータ、または、前記第２のリンクを介して提供されるデータは、前記第２のＭＡＣアドレスを含む方法。
［１０］前記第１のリンクを確立することは、前記第１のリンクに対する第１の暗号化キーを確立することを含み、
前記第２のリンクを確立することは、前記第２のリンクに対する第２の暗号化キーを確立することを含む［９］記載の方法。
［１１］前記第２のリンクに関係付けられている前記第２のＭＡＣアドレスは、前記第１のリンクを介して、前記第２の装置に提供されるか、または、前記第２の装置から受信される［９］記載の方法。
［１２］前記装置は、ゲートウェイに接続されるように構成されており、
前記受信すること、または、前記提供することは、
前記第２のリンクに関係付けられている前記第２のＭＡＣアドレスを前記ゲートウェイのＭＡＣアドレスに設定することを含み、
前記第２のリンクを介して、前記第２の装置から受信されるデータ、または、前記第２の装置に提供されるデータは、前記ゲートウェイの前記ＭＡＣアドレスを含む［９］記載の方法。
［１３］前記第１のリンクを前記第２のリンクにバインディングして、前記第１の帯域と前記第２の帯域とを介して、前記第２の装置から前記データを受信することを、または、前記第２の装置に前記データを提供することをさらに含む［９］記載の方法。
［１４］前記データの少なくとも第１の部分は、前記第１の帯域を介して受信されるか、または、前記第１の帯域を介して提供され、前記データの少なくとも第２の部分は、前記第２の帯域を介して受信されるか、または、前記第２の帯域を介して提供される［１３］記載の方法。
［１５］前記第１のリンクを確立することは、暗号化されたトークンを作成することを含み、
前記バインディングすることは、前記暗号化されたトークンの知識を確認するメッセージを、第２の装置から、前記第２の帯域を介して受信することを含む［１３］記載の方法。
［１６］前記バインディングすることは、前記第１の帯域と前記第２の帯域とを介して、前記データを受信すること、または、前記データを提供することのために、同一のＭＡＣアドレスを利用することを含む［１３］記載の方法。
［１７］装置におけるワイヤレス通信のためのコンピュータプログラムプロダクトにおいて、前記コンピュータプログラムプロダクトは、
第１の帯域を介して、第２の装置との第１のリンクを確立するための実行可能な命令と、
トンネリングプロトコルを使用して、第２の帯域を介して、前記第２の装置との第２のリンクを確立するための実行可能な命令と、
前記第１のリンクまたは前記第２のリンクのうちの少なくとも１つを介して、前記第２の装置からデータを受信するための実行可能な命令と、
前記第１のリンクまたは前記第２のリンクのうちの少なくとも１つを介して、前記第２の装置にデータを提供するための実行可能な命令とを有するコンピュータ読取可能な媒体を具備し、
前記第１のリンクは、第１の媒体アクセス制御（ＭＡＣ）アドレスに関係付けられ、
前記トンネリングプロトコルは、前記第１のリンクを使用して、前記第２のリンクを確立し、前記第２のリンクは、第２のＭＡＣアドレスに関係付けられ、
前記第１のリンクを介して受信されるデータ、または、前記第１のリンクを介して提供されるデータは、前記第１のＭＡＣアドレスを含み、
前記第２のリンクを介して受信されるデータ、または、前記第２のリンクを介して提供されるデータは、前記第２のＭＡＣアドレスを含むコンピュータプログラムプロダクト。
［１８］ワイヤレス通信のためのワイヤレスノードにおいて、
少なくとも１つのアンテナと、
第１の帯域を介して、第２のワイヤレスノードとの第１のリンクを、前記少なくとも１つのアンテナを介して確立するようにと、
トンネリングプロトコルを使用して、第２の帯域を介して、前記第２のワイヤレスノードとの第２のリンクを、前記少なくとも１つのアンテナを介して確立するようにと、
前記少なくとも１つのアンテナを使用して、前記第１のリンクまたは前記第２のリンクのうちの少なくとも１つを介して、前記第２のワイヤレスノードからデータを受信するようにと、
前記少なくとも１つのアンテナを使用して、前記第１のリンクまたは前記第２のリンクのうちの少なくとも１つを介して、前記第２のワイヤレスノードにデータを提供するように構成されている処理システムとを具備し、
前記第１のリンクは、第１の媒体アクセス制御（ＭＡＣ）アドレスに関係付けられ、
前記トンネリングプロトコルは、前記第１のリンクを使用して、前記第２のリンクを確立し、前記第２のリンクは、第２のＭＡＣアドレスに関係付けられ、
前記第１のリンクを介して受信されるデータ、または、前記第１のリンクを介して提供されるデータは、前記第１のＭＡＣアドレスを含み、
前記第２のリンクを介して受信されるデータ、または、前記第２のリンクを介して提供されるデータは、前記第２のＭＡＣアドレスを含むワイヤレスノード。